(57)【要約】      （修正有）【課題】照明器具保持具において、陳列トレーの形状に対する汎用性が高く、光の照射が妨げられるのを防止できるようにする。【解決手段】照明器具保持具１は、照明器具被取付部４に取り付けられる。照明器具保持具１は、照明器具被取付部４に取り付けられる基体と基体から前方に延びるワイヤで形成された照明器具保持体１４とを備える。照明器具保持体１４は、後端が基体に取り付けられて前方に延びる前延部１５と、前延部１５の前端に形成された照明器具を保持する凹状の保持部１６とを備える。前延部１５が弾性撓み変形することにより保持部１６が上下方向に変位可能である。【選択図】図７
0003210993.tif 000002
【実用新案登録請求の範囲】
【請求項１】
照明器具被取付部に取り付けられる照明器具保持具であって、
前記照明器具被取付部に取り付けられる基体と、
該基体から前方に延びるワイヤで形成された照明器具保持体とを備え、
該照明器具保持体は、後端が前記基体に取り付けられて前方に延びる前延部と、該前延部の前端に形成された照明器具を保持する凹状の保持部とを備え、前記前延部が弾性撓み変形することにより前記保持部が上下方向に変位可能であることを特徴とする照明器具保持具。
【請求項２】
前記前延部が、前記基体から前方に向って平行に延びる２本の直線部を備え、
前記保持部が、前記２本の直線部からそれぞれ下方に向って円弧状に延びた２つの凹部と、該２つの凹部の終端同士を結ぶ前端部とを備えている請求項１記載の照明器具保持具。
【請求項３】
前記前延部が、前記基体から前方に向って拡がって延びる２本の直線部を備え、
前記保持部が、前記２本の直線部からそれぞれ下方に向って円弧状に延びた２つの凹部と、該２つの凹部の終端同士を結ぶ前端部とを備えている請求項１記載の照明器具保持具。
【請求項４】
前記基体が、前記前延部の後端が挿入される挿入穴を有する筒部を備えている請求項１〜３いずれか１項記載の照明器具保持具。
【請求項５】
前記基体が前記照明器具被取付部に取り付けられたときに、前記保持部が前記基体よりも上方に位置するように前記前延部が前方上方に延びるものである請求項１〜４記載の照明器具保持具。
【請求項６】
前記照明器具被取付部が、横方向に延びる柱状部材であって、
前記基体が、前記柱状部材に係止可能なフックを備えている請求項１〜５いずれか１項記載の照明器具保持具。
【請求項７】
前記基体が、前記照明器具被取付部に当接して該基体を前記照明器具被取付部に固定するねじ部材を備えている請求項１〜６いずれか１項記載の照明器具保持具。
【請求項８】
照明器具被取付部に取り付けられる照明装置であって、
照明器具と、
前記照明器具被取付部に取り付けられる照明器具保持具とを備え、
該照明器具保持具は、前記照明器具被取付部に取り付けられる基体と、
該基体から前方に延びるワイヤで形成された照明器具保持体とを備え、
該照明器具保持体は、後端が前記基体に取り付けられて前方に延びる前延部と、該前延部の前端に形成された照明器具を保持する凹状の保持部とを備え、前記前延部が弾性撓み変形することにより前記保持部が上下方向に変位可能であることを特徴とする照明装置。
【考案の詳細な説明】
【技術分野】
【０００１】
本考案は、照明器具を保持する照明器具保持具に関し、特に、ラインパネル等の照明器具被取付具に取り付けられる照明器具保持具に関するものである。
【背景技術】
【０００２】
従来、商品の陳列棚や収納棚において、照明器具を設置して商品や展示品等を光で照らすことにより商品や展示品の見栄えを良くすることが行われている（特許文献１）。一方、商品を効果的に陳列するために、図９に示すような、横方向に延びる柱状部材４１を上下方向に一定間隔（例えば図１０のピッチＰ）で多数配置し、この柱状部材４１に各種陳列トレー５等を係止するようにしたラインパネル形陳列棚（以下、ラインパネルと称する）４が知られている。ラインパネル４は、図１０に示すように、パネル４ａと、このパネル４ａの表面から突出する接続部材４２と、この接続部材４２の先端に固定される柱状部材４１とから構成されており、パネル４ａと柱状部材４１との間に空間を有するように形成されている。すなわちパネル４ａ、柱状部材４１及び接続部材４２により接続部材４２の上下に溝が形成されており、上側の溝を構成する柱状部材４１の上端部４１ａに、陳列トレー５に設けられたフック５１を係止することにより、陳列トレー５をラインパネル４に取り付けている。
【先行技術文献】
【特許文献】
【０００３】
【特許文献１】特開２０１５−７１０２７号公報
【考案の概要】
【考案が解決しようとする課題】
【０００４】
一般的に、陳列トレー５に陳列された商品や展示品等に光を照射するために、この陳列トレー５の上方に位置する上の陳列トレー５の下方に照明器具が設置される。照明器具の設置には、照明器具を保持する保持具が使用されることが知られている。しかしながらラインパネル４等に係止される陳列トレー５の形状には様々なものがあり、例えば上の陳列トレー５が下方向に大きく突出したものに変更された場合には、上の陳列トレー５に照明器具や保持具が接触してしまう場合がある。このため上の陳列トレー５の形状に合わせて、保持具の形状を変更したり、ラインパネル４における保持具の係止位置を変更したりして照明器具の設置位置を変更する必要がある。また照明器具の発光面を保持する保持具においては、照明器具からの光の照射が保持具によって妨げられてしまい効率的に商品や展示品等に光を照射できない場合がある。
【０００５】
本考案はかかる事情に鑑みてなされたものであり、陳列トレーの形状に対する汎用性が高く、光の照射が妨げられるのを防止することができる照明器具保持具を提供することを目的とするものである。
【課題を解決するための手段】
【０００６】
本考案の照明器具保持具は、照明器具被取付部に取り付けられる照明器具保持具であって、
照明器具被取付部に取り付けられる基体と、
基体から前方に延びるワイヤで形成された照明器具保持体とを備え、
照明器具保持体は、後端が基体に取り付けられて前方に延びる前延部と、前延部の前端に形成された照明器具を保持する凹状の保持部とを備え、前延部が弾性撓み変形することにより保持部が上下方向に変位可能であることを特徴とするものである。
【０００７】
なお本考案において、「ワイヤ」は、金属、プラスチック、その他弾性撓み変形可能な材質であればいずれの材質で形成されたものであってもよい。
【０００８】
また本考案において、前延部の後端は基体に固定されてもよいし、着脱自在に取り付けられてもよい。
【０００９】
また本考案において、保持部はワイヤで形成されたものでなくてもよい。また保持部と前延部とは一体的に形成されたものであってもよいし、別体で形成されたものであってもよい。
【００１０】
また本考案の照明器具保持具は、前延部が、基体から前方に向って平行に延びる２本の直線部を備え、
保持部が、２本の直線部からそれぞれ下方に向って円弧状に延びた２つの凹部と、該２つの凹部の終端同士を結ぶ前端部とを備えることができる。
【００１１】
また本考案の照明器具保持具は、前延部が、基体から前方に向って拡がって延びる２本の直線部を備え、
保持部が、２本の直線部からそれぞれ下方に向って円弧状に延びた２つの凹部と、２つの凹部の終端同士を結ぶ前端部とを備えていてもよい。
【００１２】
また本考案の照明器具保持具は、基体が、前記前延部の後端が挿入される挿入穴を有する筒部を備えていてもよい。
【００１３】
なお本考案において、筒部は基体と一体的に形成されたものであってもよいし、別体に形成されたものであってもよい。
【００１４】
また本考案の照明器具保持具は、基体が照明器具被取付部に取り付けられたときに、保持部が基体よりも上方に位置するように前延部が前方上方に延びていてもよい。
【００１５】
また本考案の照明器具保持具は、照明器具被取付部が、横方向に延びる柱状部材であって、
基体が、柱状部材に係止可能なフックを備えていてもよい。
【００１６】
また本考案の照明器具保持具は、基体が、照明器具被取付部に当接して基体を照明器具被取付部に固定するねじ部材を備えていてもよい。
【００１７】
本考案の照明装置は、照明器具被取付部に取り付けられる照明装置であって、
照明器具と、
照明器具被取付部に取り付けられる照明器具保持具とを備え、
照明器具保持具は、照明器具被取付部に取り付けられる基体と、
基体から前方に延びるワイヤで形成された照明器具保持体とを備え、
照明器具保持体は、後端が前記基体に取り付けられて前方に延びる前延部と、前延部の前端に形成された照明器具を保持する凹状の保持部とを備え、前延部が弾性撓み変形することにより保持部が上下方向に変位可能であることを特徴とするものである。
【考案の効果】
【００１８】
本考案の照明器具保持具は、照明器具被取付部に取り付けられる基体と、基体から前方に延びるワイヤで形成された照明器具保持体とを備え、照明器具保持体は、後端が基体に取り付けられて前方に延びる前延部と、前延部の前端に形成された照明器具を保持する凹状の保持部とを備え、前延部が弾性撓み変形することにより保持部が上下方向に変位可能なので、例えばこの陳列トレーが下方向に大きく突出したものに変更された場合等、上の陳列トレーが保持部に保持された照明器具や保持部に接触したときに、保持部が下方向に変位するので、照明器具保持具や照明器具の破損を防止することができて、様々な形状の陳列トレーに対応することができ、汎用性が高い。また照明器具を保持する保持部がワイヤで形成されていることにより、保持部によって光の照射が妨げられるのを極力防止することができる。
【図面の簡単な説明】
【００１９】
【図１】第１の実施形態の照明器具保持具の斜視図
【図２】ねじ部材を装着した図１の照明器具保持具の斜視図
【図３】図２の照明器具保持具の側面図
【図４】照明器具の正面図
【図５】照明装置のラインパネルへの取付方法を説明するための図
【図６】ラインパネルに設置された陳列トレーと照明装置の斜視図
【図７】ラインパネルに設置された陳列トレーと照明装置の側面図
【図８】第２の実施形態の照明器具保持具の斜視図
【図９】ラインパネルに設置された陳列トレーの斜視図
【図１０】ラインパネルに設置された陳列トレーの側面図
【考案を実施するための形態】
【００２０】
以下、図面を参照して本考案にかかる第１の実施形態の照明器具保持具１について説明する。図１は本考案にかかる第１の実施形態の照明器具保持具１の斜視図、図２はねじ部材１３を装着した照明器具保持具１の斜視図、図３は図１の照明器具保持具１の側面図、図４は照明器具２の正面図である。なお図１〜図３において、フック１２が設けられている側を上側すなわち紙面上側を上側とし、基体１０に対して照明器具保持体１４が配設されている側を前方として以下説明する。
【００２１】
本実施形態の照明器具保持具１は、図１に示すように、後述するラインパネル４に取り付けられる基体１０と、基体から前方に延びるワイヤで形成された照明器具保持体１４とを備えている。基体１０は、四角形の板状部材である本体部１１と、本体部１１の両側の上端部に形成されて後述するラインパネル４の柱状部材４１の上端部４１ａ（図１０参照）に係止可能なフック１２とを備えている。また、本体部１１は前面の両側端部に後述する前延部１５の後端部１５ａが挿入される挿入穴１１ｃを有する筒部１１ｂが設けられており、挿入穴１１ｃは上下方向に延びる穴で形成されている。なお本実施形態においては、筒部１１ｂは本体部１１と一体的に形成されているが、本考案はこれに限られるものではなく、別体に形成されていてもよい。
【００２２】
一方、基体１０が取り付けられるラインパネル４は、横方向に延びる柱状部材（照明器具被取付具）４１が上下方向に一定間隔で多数配置されたものであって、パネル４ａと、このパネル４ａの表面から突出する接続部材４２と、この接続部材４２の先端に固定される柱状部材４１とから構成されており、パネル４ａと柱状部材４１との間に空間を有するように形成されている。すなわちパネル４ａ、柱状部材４１及び接続部材４２により接続部材４２の上下に溝が形成されており、上側の溝を構成する柱状部材４１の上端部４１ａにフック１２を係止することにより、基体１０をラインパネル４に取り付けている（図５〜図７参照）。
【００２３】
本実施形態の基体１０は、本体部１１及びフック１２共に、クロムメッキ処理が施された厚さ１．２ｍｍの鋼板で形成されている。フック１２に挟まれた本体部１１の上部にはネジ孔１１ａが設けられていて、このネジ孔１１ａには、図２に示すように、人の手で締め込み可能なローレットタイプのねじ部材１３が螺合される。照明器具保持具１をラインパネル４に取り付けるときに、ねじ部材１３をネジ孔１１ａに螺合してねじ部材１３の先端をラインパネル４の柱状部材４１の表面に当接させることにより、照明器具保持具１を柱状部材４１に固定する（図５〜図７参照）。
【００２４】
なお本実施形態においてねじ部材１３はローレットタイプのものとしたが、本考案はこれに限られるものではなく、例えば工具によって締結されるねじ部材を使用してもよいし、ねじ部材の種類は特に限定されない。また本実施形態の本体部１１は鋼板で形成されているが、本考案はこれに限られるものではなく、材料は特に限定されるものではない。
【００２５】
フック１２は、図１に示すように、本体部１１の両側の上端部が後側に向って折り曲げられることにより形成されている。本実施形態のフック１２は、図３に示すように、フック１２の上端から本体部１１の下端までの高さＨ１が２８．５ｍｍ、フック１２の上端からフック１２の下端までの高さＨ２が５．８ｍｍとなるように形成されており、フック１２をラインパネル４の柱状部材４１の上端部４１ａに係止し、かつねじ部材１３によって基体１０と柱状部材４１とを固定することにより、照明器具保持具１がラインパネル４に取り付けられる。
【００２６】
一般的にラインパネル４は柱状部材４１の形状や幅、溝の形状などが多種多様である。本実施形態のように高さＨ２を比較的浅く形成して、ねじ部材１３を使用して柱状部材４１に照明器具保持具１を固定することにより、例えば柱状部材４１の上端部４１ａの後側の溝が浅いラインパネル４にも照明器具保持具１をしっかりと固定することができるので、照明器具保持具１の汎用性を高くすることができる。
【００２７】
他方、照明器具保持体１４は、直径１．２ｍｍ程度のステンレス鋼（ＳＵＳ）からなるワイヤで形成されており、図１，図２に示すように、基体１０から前方に向って平行に延びる２本の直線部からなる前延部１５を備え、前延部１５は、図３に示すように、挿入穴１１ｃに挿入して保持される２本の後端部１５ａと、後端部１５ａからそれぞれ約４５°上方向前方に延びる２本の第１中間部１５ｂと、第１中間部１５ｂからそれぞれ緩やかに上方向前方に延びる２本の第２中間部１５ｃとで構成されている。前延部１５は弾性撓み変形可能に構成されており、弾性撓み変形をすることにより後述する保持部１６が上下方向に変位可能となっている。なお本実施形態において２本の後端部１５ａは、筒部１１ｂに着脱自在に取り付けられているものとするが、本考案はこれに限られず筒部１１ｂに固定されていてもよい。
【００２８】
また照明器具保持体１４は、照明器具２を保持する凹状の保持部１６を備えており、この保持部１６は、２本の第２中間部１５ｃの前端からそれぞれ下方に向って円弧状に延びた２本の凹部１６ａと、この２本の凹部１６ａの終端同士を結ぶ前端部１６ｂとで構成されている。本実施形態において保持部１６はワイヤで形成されているが、本考案はこれに限られるものではなく、ワイヤで形成されたものでなくてもよい。また保持部１６と前延部１５とは一体的に形成されたものであってもよいし、別体で形成されたものであってもよい。
【００２９】
本実施形態のワイヤはステンレス鋼で形成されているが、本考案はこれに限られるものではなく、金属、プラスチック、その他弾性撓み変形可能な材質であれば、材料は特に限定されるものではない。
【００３０】
次に照明器具保持具１に保持される照明器具２について説明する。図４は本実施形態の照明器具２の正面図である。
【００３１】
本実施形態の照明器具２は、図４に示すように、ＬＥＤ素子が列設された長尺状のＬＥＤ基板部（図示せず）と、このＬＥＤ基板部を内部に収容し、透光性を有し、透明又は半透明のプラスチック製の細長い筒状に形成された透光カバー２１と、透光カバー２１の両端にそれぞれ設けられた口金部２２とを備えている。一方の口金部２２からは、透光カバー２１の内部に設けられたＬＥＤ基板部に接続された電線２３が延出し、電線２３の先端にはＬＥＤ基板部と例えばラインパネル４に設置される電源ユニット（図示せず）内の各種回路とを電気的に接続するためのコネクタ２４が取り付けられている。
【００３２】
次に上記のように構成された照明器具２をラインパネル４に取り付ける方法について説明する。図５は照明装置３のラインパネル４への取付方法を説明するための図、図６はラインパネル４に設置された陳列トレー５と照明装置３の斜視図、図７はラインパネル４に設置された陳列トレー５と照明装置３の側面図である。なお本実施形態の照明装置３は、２つの照明器具保持具１と１つの照明器具２とで構成される。
【００３３】
本実施形態の照明器具保持具１は照明器具２の長尺方向の長さに応じた間隔で２つ配設され、図５〜７に示すように、ラインパネル４の柱状部材４１の上端部４１ａにフック１２が係止され、かつねじ部材１３によって柱状部材４１に固定されることによりラインパネル４に取り付けられる。
【００３４】
そしてラインパネル４に取り付けられた２つの照明器具保持具１の保持部１６にそれぞれ、図７に示すように、照明器具２が装着されることにより、照明装置３がラインパネル４に取り付けられる。なお保持部１６は弾性を有しており、照明器具２を装着するときには、保持部１６の前端部１６ｂを外側すなわち前方に広げて、照明器具２を上方から挿入できるようになっている。照明器具２が凹部１６ａに装着されると前端部１６ｂは弾性力によって元の状態に戻るので保持部１６は照明器具２をしっかりと保持できる。なお照明器具２を外すときには、保持部１６の前端部１６ｂを外側すなわち前方に広げることにより、照明器具２を上方から取り外すことができる。
【００３５】
なお本実施形態においては照明器具保持具１をラインパネル４に取り付けた後で照明器具２を保持部１６に装着したが、２つの保持部１６に照明器具２を装着した後で２つの保持部１６をラインパネル４に取り付けるようにしてもよい。
【００３６】
本実施形態の照明器具保持具１は、前延部１５が弾性撓み変形することにより保持部１６が上下方向に変位可能なので、図６，図７に示すように、照明装置３の上方に陳列トレー５が取り付けられている場合に、この陳列トレーが下方向に大きく突出したものに変更された場合等、保持部１６に保持された照明器具２や保持部１６に陳列トレー５が接触したときに、保持部１６が下方向に変位するので、照明器具保持具１や照明器具２の破損を防止することができる。従って様々な形状の陳列トレー５に対応することができるので汎用性が高い。また照明器具２を保持する保持部１６がワイヤで形成されていることにより、保持部１６によって光の照射が妨げられるのを極力防止することができるので、効果的に光を照射することができる。
【００３７】
次に本考案にかかる第２の実施形態の照明器具保持具１−２について説明する。図８は第２の実施形態の照明器具保持具１−２の斜視図である。なお図８の照明器具保持具１−２は、照明器具保持体１４−２以外は図１の照明器具保持具１と同様であるためここでの説明は省略する。
【００３８】
照明器具保持具１−２は、図８に示すように、基体１０と照明器具保持体１４−２とを備えている。照明器具保持体１４−２は、直径１．２ｍｍ程度のステンレス鋼（ＳＵＳ）からなるワイヤで形成されており、基体１０から前方に向って両側外方に拡がって延びる２本の直線部からなる前延部１７を備え、前延部１７は挿入穴１１ｃに挿入して保持される２本の後端部１７ａと、後端部１７ａからそれぞれ約４５°上方向前方に延びる２本の第１中間部１７ｂと、第１中間部１７ｂからそれぞれ緩やかに上方向前方に両側外方に拡がって延びる２本の第２中間部１７ｃと、第２中間部１７ｃから互いに平行に、かつ本体部１１の前面と略垂直な方向に真っ直ぐ延びる２本の第３中間部１７ｄとで構成されている。前延部１７は弾性撓み変形可能に構成されており、弾性撓み変形をすることにより後述する保持部１８が上下方向に変位可能となっている。なお本実施形態において２本の後端部１７ａは、筒部１１ｂに着脱自在に取り付けられているものとするが、本考案はこれに限られず筒部１１ｂに固定されていてもよい。
【００３９】
また照明器具保持体１４−２は、照明器具２を保持する凹状の保持部１８を備えており、この保持部１８は、２本の第３中間部１７ｄの前端からそれぞれ下方に向って円弧状に延びた２本の凹部１８ａと、この２本の凹部１８ａの終端同士を結ぶ前端部１８ｂとで構成されている。本実施形態において保持部１８はワイヤで形成されているが、本考案はこれに限られるものではなく、ワイヤで形成されたものでなくてもよい。また保持部１８と前延部１７とは一体的に形成されたものであってもよいし、別体で形成されたものであってもよい。
【００４０】
本実施形態のワイヤはステンレス鋼で形成されているが、本考案はこれに限られるものではなく、金属、プラスチック、その他弾性撓み変形可能な材質であれば、材料は特に限定されるものではない。
【００４１】
上記のように構成された照明器具保持具１−２は、図５で示して説明した第１の実施形態の照明器具保持具１のラインパネル４への取付方法と同様に、ラインパネル４の柱状部材４１の上端部４１ａにフック１２が係止され、かつねじ部材１３によって柱状部材４１に固定されることによりラインパネル４に取り付けられる。
【００４２】
そしてラインパネル４に取り付けられた照明器具保持具１−２の保持部１８に照明器具２が装着されることにより、照明装置３がラインパネル４に取り付けられる。なお保持部１８は弾性を有しており、照明器具２を装着するときには、保持部１８の前端部１８ｂを外側すなわち前方に広げて、照明器具２を上方から挿入できるようになっている。照明器具２が凹部１８ａに装着されると前端部１８ｂは弾性力によって元の状態に戻るので保持部１８は照明器具２をしっかりと保持できる。なお照明器具２を外すときには、保持部１８の前端部１８ｂを外側すなわち前方に広げることにより、照明器具２を上方から取り外すことができる。
【００４３】
なお本実施形態においては照明器具保持具１−２をラインパネル４に取り付けた後で照明器具２を保持部１８に装着したが、保持部１８に照明器具２を装着した後で保持部１８をラインパネル４に取り付けるようにしてもよい。
【００４４】
本実施形態の照明器具保持具１−２は、第１の実施形態の照明器具保持具１と同様に、前延部１７が弾性撓み変形することにより保持部１８が上下方向に変位可能なので、照明装置３の上方に陳列トレー５が取り付けられている場合に、この陳列トレー５が下方向に大きく突出したものに変更された場合等、保持部１８に保持された照明器具２や保持部１８に陳列トレー５が接触したときに、保持部１８が下方向に変位するので、照明器具保持具１−２や照明器具２の破損を防止することができる。従って様々な形状の陳列トレー５に対応することができるので汎用性が高い。また照明器具２を保持する保持部１８がワイヤで形成されていることにより、保持部１８によって光の照射が妨げられるのを極力防止することができるので、効果的に光を照射することができる。さらに本実施形態の照明器具保持具１−２は、保持部１８において２本の凹部１８ａの間隔を広くしたことにより照明器具２の保持力が向上するので、１つの保持部１８すなわち１つの照明器具保持具１−２で照明器具２を保持することが可能となる。また第１の実施形態の照明器具保持具１よりも広い間隔で凹部１８ａが配置されているので、長い照明器具２に対する保持力を向上させることができる。
【００４５】
本考案の照明器具保持具及び照明装置は、上記実施形態に限られるものではなく、考案の趣旨を逸脱しない限りにおいて適宜変更することができる。
【符号の説明】
【００４６】
１,１−２  ：照明器具保持具
１０      ：基体
１１ｂ    ：筒部
１１ｃ    ：挿入穴
１２      ：フック
１３      ：ねじ部材
１４，１４−２  ：照明器具保持体
１５，１７    ：前延部
１５ａ，１７ａ    ：後端部
１６，１８    ：保持部
１６ａ，１８ａ    ：凹部
１６ｂ，１８ｂ    ：前端部
２        ：照明器具
３        ：照明装置
４        ：ラインパネル
４１      ：柱状部材
５        ：陳列トレー
【図１】
0003210993.tif 000003
【図２】
0003210993.tif 000004
【図３】
0003210993.tif 000005
【図４】
0003210993.tif 000006
【図５】
0003210993.tif 000007
【図６】
0003210993.tif 000008
【図７】
0003210993.tif 000009
【図８】
0003210993.tif 000010
【図９】
0003210993.tif 000011
【図１０】
0003210993.tif 000012